(57)【要約】【課題】簡単なワイパー機構によって、携帯可能な小型の液滴吐出機器を提供する。【解決手段】液滴吐出部を備える液滴吐出装置と、前記液滴吐出装置から吐出される液体が収納される液体収納容器と、前記液体収納容器から前記液滴吐出装置へ前記液体を導入する液体導入管と、前記液滴吐出装置と、前記液体収納容器と、前記液体導入管と、を収納する筐体と、を備え、前記筐体は、少なくとも前記液滴吐出装置が通過可能な開口部と、前記開口部を通過させる前記液滴吐出装置の前記液滴吐出部に接触させ、前記液滴吐出部の表面を拭うワイパーを含むワイパー装置と、を備える液滴吐出機器。【選択図】図１
2012040500.tif 000002
【特許請求の範囲】
【請求項１】
液滴吐出部を備える液滴吐出装置と、
前記液滴吐出装置から吐出される液体が収納される液体収納容器と、
前記液体収納容器から前記液滴吐出装置へ前記液体を導入する液体導入管と、
前記液滴吐出装置と、前記液体収納容器と、前記液体導入管と、を収納する筐体と、を備え、
前記筐体は、少なくとも前記液滴吐出装置が通過可能な開口部と、
前記液滴吐出装置を前記筐体から繰り出させる場合、前記開口部を通過させる前記液滴吐出装置の前記液滴吐出部に接触させ、前記液滴吐出部の表面を拭うワイパーを含むワイパー装置と、を備える、
ことを特徴とする液滴吐出機器。
【請求項２】
前記ワイパー装置は、少なくとも前記液滴吐出部と接触する接触部は弾性部材からなり、
前記液滴吐出装置が前記筐体の内部から外部へ駆動される場合は、前記接触部が前記液滴吐出部と接触し、
前記液滴吐出装置が前記筐体の外部から内部へ駆動される場合は、前記接触部が前記液滴吐出部と離間する、
ことを特徴とする請求項１に記載の液滴吐出機器。
【請求項３】
前記液滴吐出装置は、液滴吐出手段として静電アクチュエーターを備える、
ことを特徴とする請求項１または２に記載の液滴吐出機器。
【発明の詳細な説明】
【技術分野】
【０００１】
本発明は、液滴吐出機器に関する。
【背景技術】
【０００２】
インクジェットプリンターのプリンターヘッドに用いられている、ピエゾ方式あるいはバブルジェット（登録商標）方式などにより微少の液滴を吐出する技術が知られている。しかし、インクジェットプリンターの液滴吐出ヘッドは、例えば長時間の未使用状態、あるいは高粘度液体の吐出、または速乾性液体の吐出の場合、微細な液滴吐出口に残留付着し、乾燥固化した吐出物（例えばインク）によって、液滴吐出口が塞がれ正常な液滴吐出が困難となる場合があった。
【０００３】
このような課題に対して、インクジェットプリンターにおいて、インクジェット記録ヘッドの駆動にカム機構を介して、ワイパー機構を駆動し、インクジェット記録ヘッドがワイパー機構上を通過する際に、ワイパー機構に備えるスクレーバーを複数回動かすことで、インクジェット記録ヘッドの表面に付着した余剰インクを除去する機構が提案されている（特許文献１）。
【先行技術文献】
【特許文献】
【０００４】
【特許文献１】特開２００９−２６９２８７号公報
【発明の概要】
【発明が解決しようとする課題】
【０００５】
しかし、上述の特許文献１ではワイパー機構が複雑になり、小型化を阻害していた。従って、携帯が可能な液滴吐出機器、例えば点鼻薬、喉薬、オーラルケア（口臭予防など）等の定量薬塗布、殺虫剤の噴霧、香水の噴霧などの小型機器には適用できない構成であった。
【０００６】
そこで、簡単なワイパー機構によって、携帯可能な小型の液滴吐出機器を提供する。
【課題を解決するための手段】
【０００７】
本発明は、少なくとも上述の課題の一つを解決するように、下記の形態または適用例として実現され得る。
【０００８】
〔適用例１〕本適用例による液滴吐出機器は、液滴吐出部を備える液滴吐出装置と、前記液滴吐出装置から吐出される液体が収納される液体収納容器と、前記液体収納容器から前記液滴吐出装置へ前記液体を導入する液体導入管と、前記液滴吐出装置と、前記液体収納容器と、前記液体導入管と、を収納する筐体と、を備え、前記筐体は、少なくとも前記液滴吐出装置が通過可能な開口部と、前記液滴吐出装置を前記筐体から繰り出させる場合、前記開口部を通過させる前記液滴吐出装置の前記液滴吐出部に接触させ、前記液滴吐出部の表面を拭うワイパーを含むワイパー装置と、を備えることを特徴とする。
【０００９】
本適用例の液滴吐出機器によれば、液滴吐出装置を筐体から繰り出させる場合にワイパーを液滴吐出装置の液滴吐出面に接触させ、液滴吐出面の付着物を拭取ることで、液滴吐出直前に液滴吐出面をワイパーによって清浄にすることで、液滴吐出部の目詰まり原因となる付着物が除去でき、正確な液滴の吐出量、吐出方向を維持することができる。
【００１０】
〔適用例２〕上述の適用例において、前記ワイパー装置は、少なくとも前記液滴吐出部と接触する接触部は弾性部材からなり、前記液滴吐出装置が前記筐体の内部から外部へ駆動される場合は、前記接触部が前記液滴吐出部と接触し、前記液滴吐出装置が前記筐体の外部から内部へ駆動される場合は、前記接触部が前記液滴吐出部と離間することを特徴とする。
【００１１】
上述の適用例によれば、液滴吐出装置が筐体内部に収納される場合に、ワイパーを液滴吐出部から離間させることで、液滴吐出面の付着物を筐体の外部に付着させることが無く、また、液滴吐出部の吐出液体による汚れを防止することができる。
【００１２】
〔適用例３〕上述の適用例において、前記液滴吐出装置は、液滴吐出手段として静電アクチュエーターを備えることを特徴とする。
【００１３】
上述の適用例によれば、吐出液体がごく微量であっても、吐出量を正確に制御することが可能となり、また吐出方向も正確に設定することができる。更に、液滴吐出装置を形成する材料に環境を汚染する物質を使用する虞も無く、適用例の液滴吐出機器を一般廃棄物として使用者が廃棄しても、環境問題を起こすことが極めて少なくすることができる。
【図面の簡単な説明】
【００１４】
【図１】本実施形態に係る液滴吐出機器の概略断面図。
【図２】ワイパー装置の動作を説明する部分断面図。
【図３】ワイパーの動作を説明する部分拡大図。
【図４】静電アクチュエーターを用いた液滴吐出装置の分解斜視図。
【図５】静電アクチュエーターを用いた液滴吐出装置の断面図。
【発明を実施するための形態】
【００１５】
以下、図面を参照して、本発明に係る実施形態を説明する。
【００１６】
（実施形態）
図１は本実施形態に係る液滴吐出機器の概略断面を示す断面図である。液滴吐出機器１００は、筐体１０の内部に液体Ｌを収納したカートリッジ２０と、液滴吐出ヘッド３０と、ワイパー装置４０と、吐出ヘッド繋止手段５０と、ワイパー駆動機構６０と、を備えている。
【００１７】
筐体１０は、一方の側にカートリッジ２０を装着するための蓋体１０ａを勘合装着する開口部を備える蓋装着部１０ｃと、他方の側に液滴吐出ヘッド３０を繰り出す開口１０ｄと、を備える本体１０ｂと、蓋体１０ａとを備えている。本実施形態では、蓋体１０ａと本体１０ｂとは、蓋装着部１０ｃにおいて蓋体１０ａに備える突起１０ｅが、蓋装着部１０ｃに備える溝部１０ｆに嵌め合うことで蓋体１０ａが本体１０ｂに固定される構成となっている。蓋体１０ａの本体１０ｂへの固定方法は、これに限定されず繰り返して蓋体１０ａを装着、取り外しが可能であれば良く、例えば、ネジ勘合も好適に用いることができる。
【００１８】
液滴吐出ヘッド３０は液滴を吐出する液滴吐出孔３０ａを１つ以上備え、図示しない静電アクチュエーターによって液滴として液滴吐出孔３０ａより、カートリッジ２０に収納した液体Ｌを吐出する。液滴吐出ヘッド３０には、静電アクチュエーターを駆動し、制御するための制御装置７０とコード７０ａにより電気的に接続されている。なお、制御装置７０は液滴吐出機器１００と一体化されていても良く、あるいは別体化されてコード７０ａは例えば図示しない取り外し可能なコネクターによって制御装置７０と接続できる構成としても良い。
【００１９】
液滴吐出ヘッド３０は液体Ｌを導入するパイプ３０ｂが備えられ、筐体１０に固定されている吐出ヘッド繋止手段５０にパイプ３０ｂを挿通し、図示しない繋止機構によりパイプ３０ｂを介して液滴吐出ヘッド３０が筐体１０に組み込まれている。
【００２０】
またパイプ３０ｂに沿って、パイプ３０ｂに備えるストッパー３０ｃと、吐出ヘッド繋止手段５０との間に、液滴吐出ヘッド３０を図示矢印ｐ方向に付勢する弾性部材、本実施形態ではコイルバネ８０ａ、が配置されている。本実施形態において、液滴吐出ヘッド３０は、例えば人の手（指）によって、液滴吐出ヘッド３０の吐出ヘッド頂部３０ｄを押すことで、液滴吐出ヘッド３０の筐体１０の開口１０ｄからの出し入れを操作する。
【００２１】
液滴吐出ヘッド３０が筐体１０の内部に押し込まれた状態において、開口１０ｄを通して吐出ヘッド頂部３０ｄを更に押し込むことで、吐出ヘッド繋止手段５０におけるパイプ３０ｂの図示しない繋止機構が解除され、コイルバネ８０ａによって液滴吐出ヘッド３０は筐体１０の開口１０ｄより繰り出される。また、液滴吐出ヘッド３０が筐体１０の外部に繰り出された状態から、吐出ヘッド頂部３０ｄを押して筐体１０の開口１０ｄより深く押し込むことで、吐出ヘッド繋止手段５０におけるパイプ３０ｂの繋止機構が動作し、液滴吐出ヘッド３０は筐体１０の内部に収納される。
【００２２】
次にワイパー駆動機構６０およびワイパー装置４０について説明する。ワイパー駆動機構６０は、筐体１０に固定された回転軸を備えるカム板６０ａと、カム板６０ａの駆動部に一端を回転可能に固定し、他の一端をパイプ３０ｂに回転可能に固定されているリンク６０ｂとにより構成されている。
【００２３】
ワイパー装置４０は、ワイパー４０ａと、カム板接触部材４０ｂと、ワイパー４０ａとカム板接触部材４０ｂとを装着するワイパー基体４０ｃと、により構成され、ワイパー装置４０は筐体１０に備えるワイパー装置保持部材１０ｇに摺動可能に保持されている。ワイパー装置保持部材１０ｇにはワイパー装置４０をワイパー駆動機構６０側に付勢するように弾性部材、本実施形態ではコイルバネ８０ｂが筐体１０の本体１０ｂとワイパー基体４０ｃとの間に配置されている。
【００２４】
図２は、ワイパー装置４０の動作を説明する部分拡大図である。図１で示す実施形態の状態は、液滴を吐出可能な状態、すなわち液滴吐出ヘッド３０が筐体１０より繰り出され、筐体１０から液滴吐出孔３０ａが出ている状態にある。この状態から、図２（ａ）に示すように、人の手（指）によって吐出ヘッド頂部３０ｄを筐体１０の内部方向、図示Ｐ方向、に押し込む。この操作によって、液滴吐出ヘッド３０に繋がるパイプ３０ｂに固定されたストッパー３０ｃも同時に矢印Ｐ方向に移動する。同時に、一方の端部をストッパー３０ｃに回転可能に固定されているリンク６０ｂを介して、リンク６０ｂの他端が回転可能に固定されたカム板６０ａを図示矢印ｒ方向に回転させる。
【００２５】
カム板６０ａが回転することで、カム板６０ａの大外形部６０ｃにワイパー装置４０のカム板接触部材４０ｂが接触する位置となり、ワイパー装置４０をカム板６０ａの中心から離間する方向に移動させる。この移動量は、ワイパー装置４０のワイパー４０ａの先端が液滴吐出ヘッド３０の液滴吐出孔３０ａが形成されている吐出面３０ｈから離間し、所定の距離Ｈが保持できるように設定されている。この距離Ｈは、液滴吐出機器１００の大きさ、液体Ｌの成分、などにより適宜決定されるものであるが、少なくとも１ｍｍ以上は必要である。
【００２６】
以上の通り、液滴吐出ヘッド３０を筐体１０の内部に押し込む（収納する）場合には、ワイパー４０ａの先端が液滴吐出ヘッド３０に触れないようにすることで、液滴吐出孔３０ａとその周辺に残った吐出液体Ｌの残留分を筐体１０の外部に排出する虞を排除することができる。また、液滴吐出後に液滴吐出孔３０ａに残留したインクがワイパー４０ａに触れて吐出面３０ｈの吐出ヘッド頂部３０ｄ側に向けて塗り広げられ、吐出面３０ｈの汚れになることを回避することができる。
【００２７】
液滴吐出ヘッド３０を押し続け、吐出ヘッド繋止手段５０の繋止機構により液滴吐出ヘッド３０が繋止された状態を図２（ｂ）に示す。液滴吐出ヘッド３０が吐出ヘッド繋止手段５０によって繋止されている場合、図２（ａ）に示すカム板６０ａの位置から更に回転し、ワイパー装置４０のカム板接触部材４０ｂの位置にカム板６０ａの小外形部６０ｄが位置し、コイルバネ８０ｂによってワイパー装置４０はカム板６０ａ側に付勢される。その結果、ワイパー４０ａの先端が液滴吐出ヘッド３０の吐出面３０ｈに接触、付勢される。
【００２８】
図２（ｃ）は、液滴吐出ヘッド３０を筐体１０から繰り出させる状態を示している。液滴吐出ヘッド３０を筐体１０から繰り出させるには、先ず吐出ヘッド繋止手段５０の繋止機構を解除し、液滴吐出ヘッド３０に繋がるパイプ３０ｂの繋止を解除する。これによって、コイルバネ８０ａによって液滴吐出ヘッド３０は、繰り出し方向（図示矢印Ｑ）に付勢され、液滴吐出ヘッド３０が筐体１０の開口１０ｄから繰り出される。なお、吐出ヘッド繋止手段５０の繋止機構の解除方法については詳述しないが、例えば液滴吐出ヘッド３０の押し込みによって解除する機構であったり、図１に示す制御装置７０に図示しない解除スイッチを備え、解除スイッチの操作によって電気的な繋止機構解除を行ったりすることもできる。
【００２９】
液滴吐出ヘッド３０が繰り出される間、カム板６０ａの小外形部６０ｄにワイパー装置４０のカム板接触部材４０ｂが接触している状態とする。これで、ワイパー４０ａは液滴吐出ヘッド３０が筐体１０から繰り出される間、吐出面３０ｈに接触した状態を維持させることができ、後述する吐出面３０ｈに形成されている液滴吐出孔３０ａの付着物を拭取ることができ、清浄な液滴吐出孔３０ａを維持することが可能となり、液滴の正確な吐出方向を維持したり、液滴吐出量を正確に維持したりすることが可能となる。
【００３０】
液滴吐出ヘッド３０は、吐出面３０ｈをワイパー４０ａの先端部によって拭われながら筐体１０から繰り出され、図１に示す液滴吐出可能状態となって、制御装置７０からの指示によってカートリッジ２０から液滴吐出ヘッドに導入させた液体Ｌを、液滴吐出孔３０ａから吐出させる。
【００３１】
上述の図２（ｃ）で示す状態、すなわち液滴吐出ヘッド３０が筐体１０から繰り出される状態における、液滴吐出孔３０ａおよびワイパー４０ａの状態を、図３の拡大図で示す。図３（ａ）は、液滴吐出ヘッド３０が筐体１０の内部に収納されている状態、すなわち図２（ｂ）で図示する状態、の液滴吐出孔３０ａ部の拡大図である。
【００３２】
図３（ａ）に示すように、液滴吐出ヘッド３０は、静電アクチュエーターにより構成されている液滴吐出装置３０ｅを備えている。液滴吐出装置３０ｅは内部に流路３０ｆが設けられており、液体Ｌが液滴吐出孔３０ａまで充填された状態に維持されている。液滴吐出孔３０ａおよび液滴吐出孔３０ａ付近の吐出面３０ｈにかけて、図２（ａ）に示す液滴吐出状態から、筐体１０に液滴吐出ヘッド３０を収納する際に残留した液体が固化、もしくは高濃度、高粘度化した固形物ＳLが固着した状態となっている。
【００３３】
液滴吐出ヘッド３０を筐体１０から繰り出す場合、図３（ｂ）に示すように、制御装置７０（図１参照）からの指示により、液滴吐出孔３０ａに付着した固形物ＳLを液滴吐出孔３０ａから押し出すように微量の液体Ｌ´を吐出させる。これにより固形物ＳLは実質的に液滴吐出孔３０ａ、あるいは吐出面３０ｈから剥離される。
【００３４】
次に液滴吐出ヘッド３０が図３（ｃ）に示すように図示矢印Ｑ方向に移動し、筐体１０から繰り出される際に、吐出面３０ｈに接触しているワイパー４０ａが、固形物ＳLを液滴吐出孔３０ａから僅かに吐出された液体Ｌ´と共に拭取り始める。固形物ＳLは既に液滴吐出孔３０ａおよび吐出面３０ｈからは剥離されており、ワイパー４０ａは実質的に液体Ｌ´を拭取るものである。従って、拭取りは容易に行うことが可能となる。
【００３５】
そして、図３（ｄ）に示す液滴吐出ヘッド３０が液滴吐出可能状態の位置まで繰り出されるまでに、拭取られた固形物ＳLと微量の液体Ｌ´は、ワイパー４０ａにより拭取られ、ワイパー４０ａから落下し、筐体１０の内部に備える図示しない吸収部材に吸収される。なおその吸収部材は、カートリッジ２０と共に交換可能とする事が望ましい。
【００３６】
このように、ワイパー４０ａによって固形物ＳLの除去を確実に行うように拭取ることによって、最初に吐出される液滴から、正確な吐出方向に、正確な吐出量を吐出することが可能となり、しかも、簡便な機構によって実現できることから、小型の、特に携帯可能な液滴吐出機器、例えば点鼻薬、喉薬、オーラルケア（口臭予防など）等の定量薬塗布、殺虫剤の噴霧、香水の噴霧などを得ることができる。
【００３７】
次に、液滴吐出ヘッド３０に備える液滴吐出装置３０ｅに好適に用いられる静電アクチュエーターについて説明する。図４は液滴吐出装置３０ｅを分解した図であり、静電方式で駆動する静電アクチュエーターを用いた、フェイスイジェクト型の液滴吐出装置について説明する。図４に示すように、液滴吐出装置３０ｅは、電極基板３１、キャビティー基板３２、ノズル基板３３を図示における下から順に積層することにより構成する。電極基板３１とキャビティー基板３２は一般的に陽極接合により接合し、キャビティー基板３２とノズル基板３３はエポキシ系等の接着剤を用いて接合する。
【００３８】
電極基板３１は、厚さ約１ｍｍの例えば硼珪酸系の耐熱硬質ガラス等の基板を主要な材料としている。本実施形態では、ガラス基板とするが、例えば単結晶シリコンを基板とすることもできる。電極基板３１の表面には、後述するキャビティー基板３２の吐出室３２ａとなる凹部に合わせて複数の凹部３１ａが形成されている。そして、凹部３１ａの内側（特に底面部分）には、個別電極部３１ｂＡ、リード配線部３１ｂＢ及び端子部３１ｂＣ（以下、特に区別する必要がない場合はこれらを合わせて電極３１ｂとして説明する）を設ける。振動板３２ｂと個別電極部３１ｂＡとの間には、振動板３２ｂが撓む（変位する）ことができる一定のギャップ（空隙）が凹部３１ａにより形成されている。
【００３９】
電極３１ｂは、例えばスパッタリングにより、ＩＴＯを約０．１μｍの厚さで凹部３１ａの内側に成膜することで形成される。さらに本実施の形態においては、振動板３２ｂと個別電極部３１ｂＡとの間を電気的に絶縁し、個別電極部３１ｂＡを保護するための絶縁膜３１ｃを、少なくとも個別電極部３１ｂＡを覆うように、例えば約０．０９μｍ（９０ｎｍ）成膜する。絶縁膜３１ｃの材料については特に限定するものではなく、例えば酸化シリコン（ＳｉＯ2）、窒化シリコン（ＳｉＮ）を材料とすることができる。
【００４０】
本実施の形態では、プラズマＣＶＤ（ＴＥＯＳ−ｐＣＶＤともいう）法を用いたＴＥＯＳ膜（ここでは、Ｔｅｔｒａｅｔｈｙｌ  ｏｒｔｈｏｓｉｌｉｃａｔｅ  Ｔｅｔｒａｅｔｈｏｘｙｓｉｌａｎｅ：テトラエチルオルソシリケート（珪酸エチル）を原料ガスとして用いてできるＳｉＯ2膜をいう）を用いるものとして説明する。ＴＥＯＳを原料ガスとして用いることにより、他の材料で膜を形成する場合に比べてさらに緻密な膜を形成することができる。また、電極基板３１には、他にも外部のタンク（図示せず）から供給された液体を取り入れる流路となる液体供給口３１ｄとなる貫通穴を設けている。
【００４１】
キャビティー基板３２は、例えば表面が（１１０）面方位のシリコン単結晶基板（以下、シリコン基板という）を主要な材料としている。キャビティー基板３２には、吐出させる液体を一時的にためる吐出室３２ａとなる凹部（底壁が可動電極となる振動板３２ｂとなっている）及びリザーバー３２ｃとなる凹部が形成されている。また、外部の電力供給手段（図示せず）から基板（振動板３２ｂ）に、例えば電極３１ｂに供給する電荷と反対の極性の電荷を供給する際の端子となる共通電極端子３２ｄを備えている。
【００４２】
さらに本実施の形態では、キャビティー基板３２の下面の個別電極部３１ｂＡと対向する部分（振動板３２ｂの部分）に、振動板３２ｂとの接触により絶縁膜３１ｃを損傷させないようにするための表面保護膜３２ｅを設けるものとする。表面保護膜３２ｅは、シリコンとの密着性が高く、表面平滑性が高く、低摩擦性を有する膜となるような例えばダイヤモンド、ダイヤモンドライクカーボン（以下、ＤＬＣという）等の硬質のカーボン系材料を用いるものとする。ノズル基板３３についても、例えばシリコン基板を主要な材料とする。ノズル基板３３には、複数のノズル３３ａが形成されている。各ノズル３３ａは、振動板３２ｂの駆動により加圧された液体を液滴として外部に吐出する。ノズル３３ａを複数段で形成すると、液滴を吐出する際の直進性向上が期待できるため、本例ではノズル３３ａを２段で形成する。本実施の形態では、振動板３２ｂが撓むことでリザーバー３２ｃ方向に加わる圧力を緩衝するダイヤフラム３３ｂがさらに設けられている。また、吐出室３２ａとリザーバー３２ｃとを連通させるための溝となるオリフィス３３ｃが設けられている。
【００４３】
図５に、液滴吐出装置３０ｅの断面の一部を示す。図５において、吐出室３２ａはノズル３３ａから吐出させる液体をためておく。吐出室３２ａの底壁である振動板３２ｂを撓ませることにより、吐出室３２ａ内の圧力を高め、ノズル３３ａから液滴を吐出させる。ここで、本例では、可動電極とすることができ、かつエッチング工程の際に都合がよい高濃度のボロンドープ層をシリコン基板に形成し、振動板３２ｂを構成するものとする。また、異物、水分（水蒸気）等がギャップに入り込まないように、ギャップを外気から遮断し、密閉するために電極取り出し口３２ｆに封止材３２ｇが設けられている。
【００４４】
例えばドライバーＩＣ等の発振駆動回路３４は、ＦＰＣ（Ｆｌｅｘｉｂｌｅ  Ｐｒｉｎｔ  Ｃｉｒｃｕｉｔ）、ワイヤー等の配線３５を介して電気的に端子部３１ｂＣ、共通電極端子３２ｄと接続され、電極３１ｂ、キャビティー基板３２（振動板３２ｂ）に電荷（電力）の供給及び停止を制御する。発振駆動回路３４は例えば所定の周波数で発振し、例えばパルス電位を電極３１ｂに印加して電荷供給を行う。発振駆動回路３４が発振駆動することにより、個別電極部３１ｂＡに電荷を供給して正に帯電させ、振動板３２ｂを相対的に負に帯電させると、静電気力により個別電極部３１ｂＡに引き寄せられて撓む。これにより吐出室３２ａの容積は広がる。そして電荷供給を止めると振動板３２ｂは元に戻るが、そのときの吐出室３２ａの容積も元に戻り、その圧力により差分の液滴が吐出する。
【００４５】
実施形態に係る液滴吐出機器１００に用いる液滴吐出装置３０ｅとしては、上述の静電アクチュエーターによるものに限定されず、例えばピエゾ方式による液滴吐出装置であっても良い。しかし、上述の通り、実施形態に係る液滴吐出機器１００の液滴吐出装置３０ｅとして静電アクチュエーターを用いた場合、携帯用の液滴吐出機器を主な用途としている本願発明では、一般廃棄物として廃棄される可能性が高くなるが、用いられている材料がシリコン基板およびガラス基板であり、廃棄後の環境への影響を極めて少なくすることができる。このことから、静電方式によるアクチュエーター（静電アクチュエーター）を用いた液滴吐出装置を用いることが好ましい。
【００４６】
本実施形態に係る液滴吐出機器１００の液滴吐出ヘッド３０を筐体１０から出し入れする手段として、手動による方法を例示して説明したが、例えばモーターなどの動力源を備えることで、液滴吐出ヘッド３０を操作しても良い。
【符号の説明】
【００４７】
１０…筐体、２０…カートリッジ、３０…液滴吐出ヘッド、４０…ワイパー装置、５０…吐出ヘッド繋止手段、６０…ワイパー駆動機構、７０…制御装置、１００…液滴吐出機器。
【図１】
2012040500.tif 000003
【図２】
2012040500.tif 000004
【図３】
2012040500.tif 000005
【図４】
2012040500.tif 000006
【図５】
2012040500.tif 000007